(57)【要約】      （修正有）【課題】一種類の装置で、形状の種類が異なる支持棒を挟持可能な照明器具固定装置を提供する。【解決手段】角パイプ形状及び丸パイプ形状の支持棒の外面に内面が接触可能なコ字型を有する平板状の固定部２であって、上側に位置する第１固定枠２１と、下側に位置する第２固定枠２２と、第１固定枠２１と第２固定枠２２との間に位置する第３固定枠２３と、から構成される固定部２と、固定部２の開口部側における第１固定枠２１の先端部にて軸支される平板状の押付部３であって、開口部３の開口状態において第１固定枠２１と平行に位置し、開口部の閉口状態において第３固定枠２３へ近づく方向へ回動して当該押付部３の押付面が支持棒の外面に接触可能な押付部３と、第３固定枠２３に設けられ、押付部３の開放端側で当該押付部３と固定部２とを係脱可能に締結する締結部４と、第２固定枠２２に設けられ、照明器具を吊持可能な設置孔５と、を備える。【選択図】図１
0003198655.tif 000002
【実用新案登録請求の範囲】
【請求項１】
角パイプ形状及び丸パイプ形状の支持棒の外面に内面が接触可能なコ字型を有する平板状の固定部であって、前記固定部の一部を形成する、当該固定部の上側に位置する第１固定枠と、当該固定部の下側に位置する第２固定枠と、前記第１固定枠と前記第２固定枠との間に位置する第３固定枠と、から構成される固定部と、
前記固定部の開口部側における前記第１固定枠の先端部にて軸支される平板状の押付部であって、前記開口部の開口状態において前記第１固定枠と平行に位置し、前記開口部の閉口状態において前記第３固定枠へ近づく方向へ回動して当該押付部の押付面が前記支持棒の外面に接触可能な押付部と、
前記第３固定枠に設けられ、前記押付部の開放端側で当該押付部と前記固定部とを係脱可能に締結する締結部と、
前記第２固定枠に設けられ、照明器具を吊持可能な設置孔と、
を備えることを特徴とする照明器具固定装置。
【請求項２】
前記固定部には、前記第１固定枠の先端部から延存方向へ突出する平板状の保持部が設けられ、
前記押付部には、前記開口状態において当該押付部が前記第１固定枠と平行に位置する状態を維持可能なように、前記押付部の押付面の反対側の面にて前記保持部と接続可能なマグネットが設けられることを特徴とする請求項１に記載の照明器具固定装置。
【請求項３】
前記締結部は、前記第３固定枠に、前記締結部の一部を形成する雄ネジ部材の後端部を、当該雄ネジ部材の先端側が上下回動するように軸着し、
前記押付部は、前記締結部の前記雄ネジ部材の先端側が遊嵌する切欠部を、当該押付部の開放端側に形成し、
前記締結部は、
前記雄ネジ部材の先端側に、当該雄ネジ部材に環装されて前記切欠部に係止可能な第１係止部材を設け、
前記雄ネジ部材の後端側に、当該雄ネジ部材に環装される第２係止部材を設け、
前記雄ネジ部材上で、前記第３固定枠と前記第２係止部材との間に螺合されて、前記締結部の前記雄ネジ部材の先端側が前記押付部の切欠部に嵌合された前記閉口状態において、前記第１係止部材を押圧可能な雌ネジ部材を設けることを特徴とする請求項１又は請求項２に記載の照明器具固定装置。
【考案の詳細な説明】
【技術分野】
【０００１】  本考案は、照明器具固定装置に関する。
【背景技術】
【０００２】  従来、演劇や公演を行う舞台やスタジオ等の天井において、架け渡した支持棒の所望の位置で照明器具を固定可能な照明器具固定装置が報告されている（特許文献１等）。また、異なる太さの丸パイプ形状の支持棒を一種類の装置で挟持可能な照明器具固定装置も報告されている（特許文献２等）。
【先行技術文献】
【特許文献】
【０００３】
【特許文献１】特開２００７−２２４９５１号公報
【特許文献２】特開２０００−１６１３１４号公報
【考案の概要】
【考案が解決しようとする課題】
【０００４】  ところで、支持棒は丸パイプ形状だけではなく角パイプ形状も存在するため、近年、照明器具を設置する設置作業者から、一種類の装置で、形状の種類が異なる支持棒を挟持可能な照明器具固定装置が求められていた。【０００５】  本考案は、上記に鑑みてなされたものであって、一種類の装置で、形状の種類が異なる支持棒を挟持可能な照明器具固定装置を提案することを目的とする。
【課題を解決するための手段】
【０００６】  上述した課題を解決し、目的を達成するために、本考案に係る照明器具固定装置は、角パイプ形状及び丸パイプ形状の支持棒の外面に内面が接触可能なコ字型を有する平板状の固定部であって、前記固定部の一部を形成する、当該固定部の上側に位置する第１固定枠と、当該固定部の下側に位置する第２固定枠と、前記第１固定枠と前記第２固定枠との間に位置する第３固定枠と、から構成される固定部と、前記固定部の開口部側における前記第１固定枠の先端部にて軸支される平板状の押付部であって、前記開口部の開口状態において前記第１固定枠と平行に位置し、前記開口部の閉口状態において前記第３固定枠へ近づく方向へ回動して当該押付部の押付面が前記支持棒の外面に接触可能な押付部と、前記第３固定枠に設けられ、前記押付部の開放端側で当該押付部と前記固定部とを係脱可能に締結する締結部と、前記第２固定枠に設けられ、照明器具を吊持可能な設置孔と、を備えることを特徴とする。【０００７】  また、上記記載の照明器具固定装置において、前記固定部には、前記第１固定枠の先端部から延存方向へ突出する平板状の保持部が設けられ、前記押付部には、前記開口状態において当該押付部が前記第１固定枠と平行に位置する状態を維持可能なように、前記押付部の押付面の反対側の面にて前記保持部と接続可能なマグネットが設けられることが好ましい。【０００８】  また、上記記載の照明器具固定装置において、前記締結部は、前記第３固定枠に、前記締結部の一部を形成する雄ネジ部材の後端部を、当該雄ネジ部材の先端側が上下回動するように軸着し、前記押付部は、前記締結部の前記雄ネジ部材の先端側が遊嵌する切欠部を、当該押付部の開放端側に形成し、前記締結部は、前記雄ネジ部材の先端側に、当該雄ネジ部材に環装されて前記切欠部に係止可能な第１係止部材を設け、前記雄ネジ部材の後端側に、当該雄ネジ部材に環装される第２係止部材を設け、前記雄ネジ部材上で、前記第３固定枠と前記第２係止部材との間に螺合されて、前記締結部の前記雄ネジ部材の先端側が前記押付部の切欠部に嵌合された前記閉口状態において、前記第１係止部材を押圧可能な雌ネジ部材を設けることが好ましい。
【考案の効果】
【０００９】  本考案に係る照明器具固定装置は、一種類の装置で、形状の種類が異なる支持棒を挟持できるという効果を奏する。
【図面の簡単な説明】
【００１０】
【図１】図１は、実施形態に係る照明器具固定装置の斜視図である。
【図２】図２は、実施形態に係る照明器具固定装置の正面図である。
【図３】図３は、実施形態に係る照明器具固定装置の上面図である。
【図４】図４は、実施形態に係る照明器具固定装置の開口状態における側面図である。
【図５】図５は、実施形態に係る照明器具固定装置の開口状態から閉口状態へ移行する状態を示す側面図である。
【図６】図６は、実施形態に係る照明器具固定装置の閉口状態の一例を示す側面図である。
【図７】図７は、実施形態に係る照明器具固定装置の閉口状態の別の一例を示す側面図である。
【図８】図８は、実施形態に係る照明器具固定装置が支持棒に固定されて照明器具を吊持する状態の一例を示す斜視図である。
【図９】図９は、実施形態の変形例１における照明器具固定装置の閉口状態の一例を示す側面図である。
【図１０】図１０は、実施形態の変形例２における照明器具固定装置の閉口状態の一例を示す側面図である。
【考案を実施するための形態】
【００１１】  以下、本考案について図面を参照しつつ詳細に説明する。なお、下記の実施形態により本考案が限定されるものではない。また、下記の実施形態における構成要素には、当業者が容易に想定できるものあるいは実質的に同一のものが含まれる。
【００１２】［実施形態］
図１は、実施形態に係る照明器具固定装置の斜視図である。図２は、実施形態に係る照明器具固定装置の正面図である。図３は、実施形態に係る照明器具固定装置の上面図である。図４は、実施形態に係る照明器具固定装置の開口状態における側面図である。図５は、実施形態に係る照明器具固定装置の開口状態から閉口状態へ移行する状態を示す側面図である。図６は、実施形態に係る照明器具固定装置の閉口状態の一例を示す側面図である。図７は、実施形態に係る照明器具固定装置の閉口状態の別の一例を示す側面図である。図８は、実施形態に係る照明器具固定装置が支持棒に固定されて照明器具を吊持する状態の一例を示す斜視図である。なお、図面において、照明器具固定装置の側面視方向はＸ方向、照明器具固定装置の正面視方向はＹ方向、照明器具固定装置の上面視方向はＺ方向として図示する。以下、実施形態における同一符号は、同一の構成要素であるためその説明について省略あるいは簡略化する。
【００１３】  照明器具固定装置１は、図１〜図３に示すように、固定部２と、押付部３と、締付部４と、設置孔５と、保持部６と、マグネット７と、を備える。
【００１４】  固定部２は、演劇や公演を行う舞台やスタジオ等の天井に格子状に組まれて設置される支持棒の外面に内面が接触可能なコ字型を有する平板状の板金曲げ加工部材である。本実施形態において、支持棒は、角パイプ形状の支持棒Ｂ１（図６参照）や、丸パイプ形状の支持棒Ｂ２（図７参照）を含む。例えば、角パイプ形状の支持棒Ｂ１は、断面視において、一片の下限が４５ｍｍで上限が５０ｍｍまでの正方形が好ましいが、この上限と下限の数値には限定されない。また、丸パイプ形状の支持棒Ｂ２は、断面視において、直径の下限が４５ｍｍで上限が５０ｍｍの円が好ましいが、この上限と下限の数値には限定されない。本実施形態において、固定部２の寸法は一般的な角パイプ形状の支持棒Ｂ１及び丸パイプ形状の支持棒Ｂ２の両方に対応可能な値に設計されるものとする。
【００１５】  固定部２は、更に、第１固定枠２１と、第２固定枠２２と、第３固定枠２３と、から構成される。第１固定枠２１は、固定部２の上側に位置し、コ字型の上辺に対応する。第２固定枠２２は、固定部２の下側に位置し、コ字型の下辺に対応する。第３固定枠２３は、第１固定枠２１と第２固定枠２２との間に位置し、コ字型の縦辺に対応する。
【００１６】  押付部３は、固定部２の開口部側における第１固定枠２１の先端部にて軸支される平板状の板金加工部材である。押付部３と第１固定枠２１とは、一般的なボルトやナットにより構成される軸部材によって軸支される。押付部３は、軸部材により第１固定枠２１の先端部にて軸支されることで、軸部材の軸方向（Ｘ方向）と直交する方向、すなわち、第１固定枠２１の延在方向（Ｙ方向）において、回転軸としての軸部材を基準に回転可能である。
【００１７】  ここで、図４に示すように、押付部３は、コ字型の固定部２の開口部の開口状態において第１固定枠２１と平行に位置するように、軸部材を基準に回転可能である。押付部３の開口状態とは、押付部３と第１固定枠２１が水平位置、すなわち、押付部３と第１固定枠２１が同一水平面上となる状態（押付部３と第１固定枠２１とのなす角度が１８０度となる状態）をいう。本実施形態において、固定部２の第１固定枠２１と第２固定枠２２と第３固定枠２３の寸法は、コ字型の固定部２の開口部の開口状態で、一般的な角パイプ形状の支持棒Ｂ１及び丸パイプ形状の支持棒Ｂ２の両方を固定部２の開口部から挿入可能なように設計されている。
【００１８】  また、図６及び図７に示すように、押付部３は、コ字型の固定部２の開口部の閉口状態において、第３固定枠２３へ近づく方向へ回動して当該押付部３の押付面が支持棒Ｂ１，Ｂ２の外面に接触可能である。図６及び図７において、角パイプ形状の支持棒Ｂ１及び丸パイプ形状の支持棒Ｂ２は、閉口状態において、押付部３の押付面と、固定部２の第１固定枠２１の内面と、固定部２の第３固定枠２３の内面とに接触して固定されている。
【００１９】  ここで、押付部３は、後述する締結部４の雄ネジ部材４１の先端側が遊嵌する切欠部３１を、当該押付部３の開放端側に形成している。切片部３１は、押付部３の開放端側の先端から切り取られて形成された略逆Ｕ字型の領域である。切片部３１の幅は、雄ネジ部材４１のネジ軸より広く、且つ、後述する締付部４の第１係止部材４２の外径よりも狭く形成することにより、図６及び図７に示すように、閉口状態において締付部４が締められたときに、押付部３の押付面の反対側の面にて切片部３１の縁に第１係止部材４２が係止するようにしている。
【００２０】  締付部４は、第３固定枠２３に設けられ、図４〜図７に示すように、押付部３の開放端側で当該押付部３と固定部２とを係脱可能に締結する略ボルト状の部材である。本実施形態において、締付部４は、図５に示すように、第３固定枠２３に、締結部４の一部を形成する雄ネジ部材４１の後端部を、当該雄ネジ部材４１の先端側が上下回動するように軸着している。締結部４は、雄ネジ部材４１の先端側に、当該雄ネジ部材４１に環装されて切欠部３１に係止可能な第１係止部材４２を設ける。また、締結部４は、雄ネジ部材４１の後端側に、当該雄ネジ部材４１に環装される第２係止部材４３を設ける。本実施形態において、雄ネジ部材４１と、円筒状の第１係止部材４２及び第２係止部材４３とは、ボルトとナットの関係に対応する。更に、締結部４は、雄ネジ部材４１上で、第３固定枠２３と第２係止部材４３との間に螺合されて、締結部４の雄ネジ部材４１の先端側が押付部３の切欠部３１に嵌合された閉口状態において、第１係止部材４２を押圧可能な雌ネジ部材４４を設ける。雌ネジ部材４４は、固定部４の開口部の閉口状態において、雄ネジ部材４１を押付部３に対して軸回転させて進退させるときの操作に用いるものである。これにより、図６及び図７に示すように、閉口状態において締付部４が締めつけることで、角パイプ形状の支持棒Ｂ１であっても丸パイプ形状の支持棒Ｂ２であっても、照明器具固定装置１を安定して支持棒Ｂ１，Ｂ２に対して固定させることができる。
【００２１】  設置孔５は、第２固定枠２２に設けられ、照明器具を吊持可能なように構成された円筒状の孔である。設置孔５には、図８に示すように、照明器具ＯＢを吊下げるための吊下部材Ａ１，Ａ２を設置可能である。図８において、丸パイプ形状の支持棒Ｂ２に固定された照明器具固定装置１Ａ，１Ｂは、吊下部材Ａ１，Ａ２を介して照明器具ＯＢを吊持している。
【００２２】  保持部６は、固定部２の第１固定枠２１の先端部から延存方向へ突出する平板状の板金加工部材である。保持部６は、第１固定枠２１の先端部の外面側で溶接されて接続される。保持部６のうち、第１固定枠２１の先端部から突出している部分は、図４に示すように、固定部２の開口部の開口状態において、後述するマグネット７と対向するように設計される。
【００２３】  マグネット７は、図４に示すように、固定部２の開口部の開口状態において押付部３が第１固定枠２１と平行に位置する状態を維持可能なように、押付部３の押付面の反対側の面にて保持部６と接続可能なように設けられる。保持部６は金属で構成されているため、マグネット７が保持部６と磁気的に接続されることで、開口状態を維持可能となる。これにより、照明器具を設置する設置作業者は、照明器具固定装置１を支持棒Ｂ１，Ｂ２に対する着脱する際に、押付部３を一時的に開口状態のまま維持できるようになるため、着脱作業がより容易になる。
【００２４】  なお、上述の実施形態において、照明器具固定装置１が照明器具を吊持する際に設置孔５を用いる例を説明したが、これに限定されない。図９は、実施形態の変形例１における照明器具固定装置の閉口状態の一例を示す側面図である。実施形態の変形例１において、図９に示すように、照明器具固定装置１’は、設置孔５の代わりに、第３固定枠２２に予め溶接された取付部材８を設けてもよい。取付部材８には、取付孔９が設けられ、この取付孔９に照明器具の吊り下げるように固定することで、照明器具を吊持してもよい。
【００２５】  また、上述の実施形態において、押付部３の厚さ方向の長さ（押付部３の厚み）は、約１５ｍｍ程度の薄さを想定しているが、必ずしもこの値に限定されるものではない。一例として、押付部３が約１５ｍｍ程度の薄さの場合、上述の固定部２と押付部３と締付部４とで矜持する際に、断面視において直径の下限が４２ｍｍで上限が５０ｍｍの円の丸パイプ形状の支持棒Ｂ２を矜持可能である。この支持棒Ｂ２よりも細い丸パイプ形状（例えば、直径の下限が３２ｍｍまでの円の丸パイプ形状）の支持棒Ｂ２’を矜持する場合には、図１０に示すように、照明器具固定装置１’’は、押付部３の厚さ方向の長さを長くするように（すなわち、押付部３の厚みが増すように）、当該押付部３の押付面側にアタッチメント１０を付与してもよい。図１０は、実施形態の変形例２における照明器具固定装置の閉口状態の一例を示す側面図である。アタッチメント１０は、押付部３の押付面側にアタッチメント加工された平板状の板金加工部材であり、開口部の閉口状態において、上述の固定部２と押付部３と締付部４とで囲まれた空間を狭めるスペーサーとして機能する。これにより、実施形態の変形例２における照明器具固定装置１’’は、例えば、直径の下限が３２ｍｍまでのより細い円の丸パイプ形状の支持棒Ｂ２’に対しても容易に固定させることが可能となる。
【符号の説明】
【００２５】  １  照明器具固定装置
２  固定部
２１  第１固定枠
２２  第２固定枠
２３  第３固定枠
３  押付部
３１  切片部
４  締付部
４１  雄ネジ部材
４２  第１係止部材
４３  第２係止部材
４４  雌ネジ部材
５  設置孔
６  保持部
７  マグネット
８  取付部材
９  取付孔
１０  アタッチメント
【図１】
0003198655.tif 000003
【図２】
0003198655.tif 000004
【図３】
0003198655.tif 000005
【図４】
0003198655.tif 000006
【図５】
0003198655.tif 000007
【図６】
0003198655.tif 000008
【図７】
0003198655.tif 000009
【図８】
0003198655.tif 000010
【図９】
0003198655.tif 000011
【図１０】
0003198655.tif 000012